(57)【特許請求の範囲】
【請求項１】
ケーブルに対して終端するように構成されたケーブル側端部と、ブレード端子（１０８）と嵌合するように構成された嵌合側端部（１０６）とを含む端子本体（１０２）を備えるレセプタクル端子であって、
前記端子本体（１０２）は、前記嵌合側端部にレセプタクル（１２２）を含み、
前記レセプタクルは、第１の壁（１２４）と前記第１の壁に略平行であり前記第１の壁から離間している第２の壁（１２６）とを有し、
前記レセプタクルは、前記第１の壁と前記第２の壁との間に前記ブレード端子を収容するように構成された収容空間（１２８）を有し、
前記端子本体（１０２）に嵌合された接点バネ（１１０）を備え、
前記接点バネ（１１０）は、前記収容空間（１２８）内に収容され且つ前記第１の壁（１２４）と前記ブレード端子（１０８）との間に位置決めされるように構成されたバネ壁（１７０）を有し、
前記バネ壁（１７０）は内側表面（１８６）と外側表面（１８８）を有し、
前記内側表面（１８６）が前記第１の壁（１２４）に対して付勢されたバネであって、前記外側表面（１８８）が前記ブレード端子（１０８）に対して付勢されたバネであるように構成され、
前記接点バネ（１１０）が第１の接点バネを画定し、
前記レセプタクル端子が更に前記第１の接点バネと同一の第２の接点バネ（１１２）を含み、
前記第１の接点バネが前記レセプタクル（１２２）の第１の端部（１３２）と連結され、
前記第２の接点バネが前記レセプタクルの第２の端部（１３４）と連結されることを特徴とするレセプタクル端子（１００）。
【請求項２】
前記バネ壁が前記第１のバネ壁（１７０）を画定し、
前記接点バネ（１１０）が更に両縁部（１５２、１５４）を有する端壁（１５０）と、前記端壁の対応する縁部から延出する第１と第２の側壁（１５６、１５８）と、第２のバネ壁（１９０）とを含み、
前記第１のバネ壁（１７０）が接続部（１７２）によって前記第１の側壁（１５６）に接続され、前記第２のバネ壁（１９０）が接続部（１９２）によって前記第２の側壁（１５８）に接続され、そこで、前記第１の側壁（１５６）が前記端子本体（１０２）の前記第１の壁（１２４）の外側に沿って延出し、前記第２の側壁（１５８）が前記端子本体の前記第２の壁（１２６）の外側に沿って延出し、且つ第１のバネ壁（１７０）が前記収容空間（１２８）内で前記端子本体の第１の壁（１２４）に沿って延出し、前記第２のバネ壁（１９０）は前記収容空間（１２８）内で前記端子本体の前記第２の壁（１２６）に沿って延出し、
前記第１と第２のバネ壁（１７０、１９０）は、前記収容空間（１２８）内に収容されると、前記ブレード端子（１０８）の両側面（２２０，２２２）に係合するように構成されていることを特徴とする請求項１のレセプタクル端子（１００）。
【請求項３】
前記端壁（１５０）及び前記第１と第２の側壁（１５６、１５８）がＵ字形の構造を画定し、
前記第１と第２のバネ壁（１７０、１９０）が前記第１の側壁と前記第２の側壁との間に位置決めされ、
前記端壁が前記端子本体（１０２）の前記第１の壁（１２４）と前記第２の壁（１２６）との間に延出することを特徴とする請求項２のレセプタクル端子（１００）。
【請求項４】
前記バネ壁（１７０）が凹面部（１７４）と凸面部（１７６）を有する非平面であり、
前記凹面部が前記第１の壁（１２４）に係合し、前記凸面部が前記ブレード端子（１０８）に係合するように構成されていることを特徴とする請求項１のレセプタクル端子（１００）。
【請求項５】
前記バネ壁（１７０）が前記第１の壁（１２４）との複数の接触点を作り、前記ブレード端子（１０８）との複数の接触点を作るように構成された波形の形状を有することを特徴とする請求項１のレセプタクル端子（１００）。
【請求項６】
前記バネ壁（１７０）に、個別に可動であるバネフィンガー（１８４）を画定するスロット（１８２）が内部に形成されていることを特徴とする請求項１のレセプタクル端子（１００）。
【請求項７】
前記接点バネ（１１０）が、打ち抜き加工および曲げ加工され、前記端子本体に取外し可能に連結されるように構成されていることを特徴とする請求項１のレセプタクル端子（１００）。
【請求項８】
前記第１の壁（１２４）は貫通する開口（１３０）を有し、
前記接点バネ（１１０）が前記端子本体（１０２）に対して前記接点バネを配置するために前記開口に収容されるタブ（１６４）を有することを特徴とする請求項１のレセプタクル端子（１００）。
【請求項９】
前記バネ壁（１７０）が第１のバネ壁を画定し、
前記接点バネが更に両縁部（１５２、１５４）を有する端壁（１５０）と、前記端壁の対応する縁部から延出する第１と第２の側壁（１５６、１５８）と、第２のバネ壁（１９０）とを含み、
前記第１のバネ壁が前記第１の側壁から延出し、
前記第２のバネ壁が前記第２の側壁から延出し、
前記第１の側壁が前記端子本体の前記第１の壁（１２４）の外側に沿って延出し、
前記第２の側壁が前記端子本体の前記第２の壁（１２６）の外側に沿って延出し、
前記第１のバネ壁が前記収容空間（１２８）内に前記端子本体の前記第１の壁に沿って延出し、
前記第２のバネ壁が前記収容空間内に前記端子本体の前記第２の壁に沿って延出し、
前記第１と第２のバネ壁は、前記収容空間内に収容されると、前記ブレード端子（１０８）の両側面に係合するように構成されることを特徴とする請求項１のレセプタクル端子（１００）。
【発明の詳細な説明】
【技術分野】
【０００１】
本書の主題は広く電気システムに関し、特にレセプタクル端子に関する。
【背景技術】
【０００２】
電力システムの様々なコンポーネント同士間で電気接続を行うための電力システムは、公知となっている。通常、電力端子はケーブルの端部で終端し、対応する電力端子と嵌合するように構成されている。このような電力システムの例は電気自動車にあり、そこでは、電力コネクタ同士間で電力が伝送される。
【発明の概要】
【発明が解決しようとする課題】
【０００３】
電力コネクタの中には、ボルトによって受け取られ、蝶ナット等のナットを使用してボルトに接続される電力端子を使用するものがある。このような電力コネクタは不利益がないわけではない。例えば、このような電力コネクタは、多数のコンポーネントを使用し、時間がかかるものであり、嵌合及び嵌合解除に時間がかかる可能性がある。加えて、このような電力コネクタは、高電力の状況では適切な接続ができない可能性がある。その他のタイプの電力コネクタは、レセプタクルを有する端子が付いた一方のコネクタと、レセプタクルに差し込まれるブレードを有する他方のコネクタとを有する。このような電力コネクタは不利益がないわけではない。例えば、レセプタクルとブレードとの接点を維持することが難しい可能性がある。レセプタクルの設計は、ブレードとの電気接続を確実に維持するために複雑になり、全体的な設計をより製造コストのかかるものにしてしまう可能性がある。電力接続箇所以外の接続箇所では、ブレードを収容するレセプタクルを有する端子を使用して、レセプタクルとブレードとの間の電気接続を行う可能性がある。このような接続は同様の不利益を有する。
【課題を解決するための手段】
【０００４】
その解決策は、本書に記載されるレセプタクル端子とレセプタクル端子を有するコネクタによって提供される。このレセプタクル端子は、ケーブルに対して終端されるケーブル側端部と、ブレード端子と嵌合されるように構成された嵌合側端部を有する端子本体を含む。端子本体は、嵌合側端部にレセプタクルを含む。レセプタクルは、第１の壁と、第１の壁と略平行であり第１の壁から離間している第２の壁を有する。レセプタクルは、ブレード端子を収容するように構成された第１の壁と第２の壁との間に収容空間を有する。接点バネが、端子本体とは別体として設けられ、端子本体に嵌合され、第１の壁とブレード端子との間に位置決めされた収容空間内に収容されるバネ壁を有する。バネ壁は、内側表面と外側表面を有する。内側表面は第１の壁に対して付勢されるバネである。外側表面はブレード端子に対して付勢されるバネになるように構成されている。
【０００５】
以下、本発明を添付の図面を参照して一例として記述する。
【図面の簡単な説明】
【０００６】
【図１】図１はブレード端子の嵌合相手ブレードを示す例示的実施形態に従って形成されたレセプタクル端子の斜視図である。
【０００７】
【図２】図２は図１に示す端子本体の斜視図である。
【０００８】
【図３】図３は図１に示す接点バネの斜視図である。
【０００９】
【図４】図４は図１に示すレセプタクル端子及び嵌合相手ブレードの断面図である。
【００１０】
【図５】図５は図１に示すレセプタクル端子を含む電力コネクタの正面斜視図である。
【００１１】
【図６】図６は図５に示す電力コネクタと嵌合するように構成された対になる電力コネクタの正面を示す斜視図である。
【発明を実施するための形態】
【００１２】
図１は例示的実施形態に従って形成されたレセプタクル端子１００の斜視図である。レセプタクル端子１００は、ケーブル側端部１０４と嵌合側端部１０６の間に延びる端子本体１０２を含む。ケーブル側端部１０４は、電力ケーブル等のケーブル又はワイヤ（図示せず）側で終端するように構成され、嵌合側端部１０６は、ブレード端子１０８等の嵌合相手端子のブレードと嵌合されるように構成される。
【００１３】
一対の接点バネ１１０、１１２が端子本体１０２の嵌合側端部１０６に連結される。接点バネ１１０、１１２は、ブレード端子１０８とレセプタクル端子１００との間の接点となる。図示の実施形態では、２つの接点バネ１１０、１１２は別体として設けられ、端子本体１０２に連結される。或いは、他の実施形態では、２つより多い又は２つより少ない接点バネ１１０、１１２、例えば、１つの接点バネを端子本体１０２に連結されてもよい。接点バネ１１０、１１２はブレード端子１０８と端子本体１０２との間に導電接点を画定する。
【００１４】
接点バネ１１０、１１２は、レセプタクル端子１００への多数の接点を提供し、ブレード端子１０８への多数の接点を提供する。接点バネ１１０、１１２は、レセプタクル端子１００とブレード端子１０８に対するバネ力をもたらし、レセプタクル端子１００とブレード端子１０８に対して付勢され、ブレード端子１０８と端子本体１０２との間に電気的接続が確実に維持される。接点バネ１１０、１１２は、接点バネ１１０、１１２と端子本体１０２との間の機械的接続によって端子本体１０２に対して保持される。接点バネ１１０、１１２を端子本体１０２へ保持するための更なる固定機構は必要ない。接点バネ１１０、１１２は、端子本体１０２にレーザー溶接、はんだ付け、又は圧着される必要がない。接点バネ１１０、１１２は、レセプタクル端子１００のコストを増大させたりレセプタクル端子１００の組立時間を増大したりする可能性のある更なる機構を使用することなく、端子本体１０２に簡単に取付けることができる。
【００１５】
図２は、接点バネ１１０、１１２がない状態の端子本体１０２の斜視図である。端子本体１０２は、金属材料等の導電性材料から製造される。例示的実施形態では、端子本体１０２は、ケーブルに対して終端するように且つブレード端子１０８（図１に示す）と嵌合するように構成された形状に打ち抜き加工および曲げ加工される。
【００１６】
ケーブル側端部１０４は、ケーブルに対して終端するように構成される。図示の実施形態では、ケーブル側端部１０４は、ケーブルの端部に対して圧着されるように構成された圧着接続部を構成する。端子本体１０２は、最初はチャネルを画定する開放状態に打ち抜き加工および曲げ加工された圧着アーム１２０をケーブル側端部１０４に含む。任意の数の圧着アーム１２０を設けることができる。製造中、圧着アーム１２０は圧着処理中にケーブルに対して圧着される。他の実施形態においては、ケーブル側端部１０４は、他の手段によってケーブルに対して終端させてもよい。例えば、ケーブル側端部１０４は、圧着用筒状部を含んでもよいし、ケーブルに対してはんだ付けされてもよい。
【００１７】
図示の実施形態では、端子本体１０２は嵌合側端部１０６では略Ｕ字形であり、Ｕ字形端子本体１０２の一部を画定する第１と第２の壁１２４、１２６を有する。嵌合側端部１０６は、Ｕ字形端子本体１０２によって画定されたレセプタクル１２２を含む。レセプタクル１２２は、接点バネ１１０と１１２及びブレード端子１０８を収容する。レセプタクル１２２は、第１の壁１２４と第２の壁１２６によって画定される。第１と第２の壁１２４、１２６は互いに対して平行であり、互いに離間している。レセプタクル１２２は、第１と第２の壁１２４、１２６との間にブレード端子１０８を収容する収容空間１２８を有する。収容空間１２８は、上部が開口しており、この開口上部からブレード端子１０８を収容するように構成されている。或いは、収容空間１２８は、収容空間１２８の側方を通って（例えば、第１の端部１３２を通って）又は底部の開口（図示せず）を通ってのように、異なる方向からブレード端子１０８を収容するように構成してもよい。
【００１８】
例示的実施形態では、第１と第２の壁１２４と１２６は、貫通する開口１３０を含む（図２には第１の壁１２４の開口１３０のみが示されている）。開口１３０は、レセプタクル１２２の両端部１３２と１３４から離間している。任意ではあるが、開口１３０は第１の短部１３２と第２の端部１３４との間の略中心であってもよい。或いは、開口１３０は、第１と第２の端部１３２と１３４との間の中心線からオフセットされてもよい。開口１３０は、その上縁部１３６から離間している。任意ではあるが、開口１３０は、引き延ばされ、長円形を有する。他の実施形態では他の形状が可能である。
【００１９】
第１と第２の壁１２４と１２６は距離１３８だけ互いに離間している。距離１３８は、第１の端部１３２と第２の端部１３４との間で測定される収容空間１２８の長さに沿って略均一にすることができる。加えて、距離１３８は、上縁部１３６からＵ字形端子本体１０２の底部までに測定される収容空間１２８の高さに沿って均一であってもよい。距離１３８は、ブレード端子１０８及び接点バネ１１０と１１２を収容するのに十分な幅広である。
【００２０】
図３は、接点バネ１１０の斜視図である。接点バネ１１２（図１に示す）は接点バネ１１０と実質的に同一にすることができ、部品の種類が１つであり、従って、部品の種類を減少させ且つ／又は製造コストを減少させることによってレセプタクル端子１００の全体的なコストを減少させる。或いは、接点バネ１１０、１１２は互いに異なっていてもよく、異なる特徴を含んでもよく、且つ／又は互いに異なるような大きさと形状にしてもよい。
【００２１】
接点バネ１１０は、対向する縁部１５２、１５３ を有する端壁１５０を含む。接点バネ１１０は、接点バネ１１０は、端壁１５０の対応する縁部１５２、１５４から延びる第１と第２の側壁１５６、１５８を含む。任意ではあるが、側壁１５６、１５８は、端壁１５０に関して略垂直に延出する。任意ではあるが、側壁１５６、１５８は、略平面であり、互いに実質的に平行になる向きに配置されている。端壁１５０及び第１と第２の側壁１５６、１５８は共同でＵ字形構造を画定している。第１と第２の側壁１５６、１５８は各々上部１６０と下部１６２を有する。側壁１５６、１５８の上部１６０は互いに一直線になっていてもよく、端壁１５０の上部と一直線になっていてもよい。同様に、側壁１５６、１５８の底部１６２は互いに一直線になっていてもよく、端壁１５０の底部と一直線になっていてもよい。
【００２２】
第１のタブ１６４は、端壁１５０の略反対側において第１の側壁１５６から延出している。第２のタブ１６６は、端壁１５０の略反対側において第２の側壁１５８から延出している。任意ではあるが、第１と第２のタブ１６４、１６６は、第１と第２の壁１５６、１５８の略底部１６２に位置決めされてもよい。第１と第２のタブ１６４、１６６は、第１と第２の壁１５６、１５８に対して略垂直になる向きに配置させてもよい。第１と第２のタブ１６４、１６６は、互いに向かって内側に向かって屈曲している。他の実施形態ではその他の向きが可能である。第１と第２のタブ１６４、１６６は、接点バネ１１０が端子本体１０２に連結されたとき、端子本体１０２（図２に示す）の第１と第２の壁１２４、１２６（図２に示す）の対応する開口１３０（図２に示す）内に収容されるように構成される。例えば、接点バネ１１０が端子本体１０２に連結されたとき、第１と第２の側壁１５６、１５８は第１と第２の壁１２４、１２６の外側に沿って端子本体１０２の第１と第２の壁１２４、１２６の周囲を被覆する。第１と第２のタブ１６４、１６６は、夫々、第１と第２の壁１２４、１２６の開口と位置合わせされ、この開口内に収容される。
【００２３】
接点バネ１１０は第１のバネ壁１７０を含む。第１のバネ壁１７０と第１の側壁１５６との間には接続部１７２が設けられている。接続部１７２は、第１の側壁１５６に対して略垂直になる向きに配置されている。第１のバネ壁１７０は、接続部１７２に対して略垂直になる向きに配置されている。例示的実施形態では、第１のバネ壁１７０は、第１の側壁１５６に対して略平行になる向きに配置され、第１の壁１５６から離間されている。接点バネ１１０が端子本体１０２に取付けられたとき、第１の壁１２４は、第１のバネ壁１７０と第１の側壁１５６との間で収容される。
【００２４】
例示的実施形態では、第１のバネ壁１７０は非平面である。第１のバネ壁１７０は、波形構成を有する波形バネを画定し、バネ効果を与える。第１のバネ壁１７０は、連なった山頂と谷底を有する蛇行路に沿っている。第１の接点バネ１７０は、凹面部１７４と凸面部１７６を有する。凹面部１７４は、谷底を画定し、凸面部１７６は山頂を画定する。凹面部１７４は、第１の壁１２４と係合するための嵌合接点を画定する頂部１７８を含む。凸面部１７６はブレード端子１０８（図１に示す）と係合するための嵌合接点を画定する頂部１８０を含む。例示的実施形態では、第１のバネ壁１７０は、複数の凹面部１７４及び複数の凸面部１７６を有する。第１のバネ壁１７０は、第１の壁１２４との及びブレード端子１０８との複数の長手方向にオフセットされた接点を作る。
【００２５】
第１のバネ壁１７０は、貫通して延出する複数のスロット１８２を含む。スロット１８２は、互いに独立的に可動な複数の個別の平行バネフィンガー１８４に第１のバネ壁１７０を分割する。各々のバネフィンガー１８４は、第１の壁１２４と係合するように構成され、各々のバネフィンガー１８４は、ブレード端子１０８と係合するように構成されている。
【００２６】
第１のバネ壁１７０は、内側表面１８６と内側表面１８６とは反対側の外側表面１８８とを含む。内側表面１８６は、第１の壁１２４に略対向し、第１の壁１２４と係合するように構成されている。外側表面１８８は、ブレード端子１０８に略対向し、ブレード端子１０８と係合するように構成されている。
【００２７】
接点バネ１１０は第２のバネ壁１９０を含む。第２のバネ壁１９０と第２の側壁１５８との間には接続部１９２が設けられている。接続部１９２は第２の側壁１５８に対して略垂直になる向きに配置されている。第２のバネ壁１９０は、接続部１９２に対して略垂直になる向きに配置されている。例示的実施形態では、第２のバネ壁１９０は、第２の側壁１５８に略平行になる向きに配置され、第２の側壁１５８から離間されている。第２のバネ壁１９０は、第１のバネ壁１９０ からも離間している。第１と第２のバネ壁１７０と１９０は、第１の側壁１５６と第２の側壁１５８との間に位置決めされている。第１と第２のバネ壁１７０と１９０は、端壁１５０及び第１と第２の側壁１５６と１５８によって画定されるＵ字形本体の内側に位置する。接点バネ１１０が端子本体１０２に取付けられると、第２の壁１２６が第２のバネ壁１９０と第２の側壁１５８との間に収容される。端子ブレード１０８は、第１のバネ壁１７０と第２のバネ壁１９０との間に収容されるように構成されている。
【００２８】
例示的実施形態では、第２のバネ壁１９０は非平面である。第２のバネ壁１９０は波形構成を有する波形バネを画定し、バネ効果を与える。第２のバネ壁１９０は、連なった山頂と谷底を有する蛇行路に沿っている。第２の接点バネ１９０は、凹面部１９４と凸面部１９６を有する。凹面部１９４は谷底を画定し、凸面部１９６は山頂を画定する。凹面部１９４は、第２の壁１２６と係合するための嵌合接点を画定する頂部１９８を含む。凸面部１９６は、ブレード端子１０８（図１に示す）と係合するための嵌合接点を画定する頂部２００を含む。例示的実施形態では、第２のバネ壁１９０は、複数の凹面部１９４及び複数の凸面部１９６を有する。第２のバネ壁１９０は、第２の壁１２６との及びブレード端子１０８との複数の長手方向にオフセットされた接点を作る。
【００２９】
第２のバネ壁１９０は、貫通して延出する複数のスロット２０２を含む。スロット２０２は、互いに独立的に可動な複数の個別の平行バネフィンガー２０４に第２のバネ壁１９０を分割する。各々のバネフィンガー２０４は、第２の壁１２６と係合するように構成され、各々のバネフィンガー２０４は、ブレード端子１０８と係合するように構成されている。
【００３０】
第２のバネ壁１９０は、内側表面２０６と内側表面２０６とは反対側の外側表面２０８とを含む。内側表面２０６は、第２の壁１２６に略対向し、第２の壁１２６と係合するように構成されている。外側表面２０８は、ブレード端子１０８に略対向し、ブレード端子１０８と係合するように構成されている。
【００３１】
例示的実施形態では、接点バネ１１０は金属等の導電性材料から製造される。接点バネ１１０は、銅材料又は銅合金から製造してもよい。任意ではあるが、接点バネ１１０は、めっき材料によってめっきされてもよい。接点バネ１１０は、第１のバネ壁１７０上や第２のバネ壁１９０上など、選択的にめっきされてもよい。接点バネ１１０は、ニッケル材料、金材料、錫材料等によってめっきされてもよい。
【００３２】
図１に戻ると、接点バネ１１０と１１２は端子本体１０２に嵌合された状態で示されている。接点バネ１１０と１１２は互いに同一であり、接点バネ１１２は接点バネ１１０に対して１８０度反転させている。組立中に、接点バネ１１０は端子本体１０２の嵌合側端部１０６の第１の端部１３２に連結される。接点バネ１１２は端子本体１０２の嵌合側端部１０６の第２の端部１３４に連結される。この組立を、接点バネ１１０を参照して記述する。接点バネ１１２は、接点バネ１１０と類似の方法によって端子本体１０２に連結される。
【００３３】
接点バネ１１０は上方から嵌合側端部１０６上に装着させる。バネ壁１７０、１９０は第１の壁１２４と第２の壁１２６との間の収容空間１２８内に装着される。端壁１５０及び側壁１５６、１５８は、レセプタクル１２２の第１と第２の壁１２４、１２６の周りを被覆し、第１と第２の壁１２４、１２６の外側に沿って設けられる。端壁１５０は第１及の壁１２４と第２の壁１２６との間に架設する。端壁１５０は、ブレード端子１０８がレセプタクル１２２内に装着されたとき、第１と第２の壁１２４、１２６の互いに離れる方向への撓みを制限する。このように、接点バネ１１０は第２の壁１２６に対する第１の壁１２４の相対的位置を保持する。接点バネ１１０は第１の壁１２４と第２の壁１２６との間の距離１３８を維持する。
【００３４】
組立時、タブ１６４と１６６（図３に示す）は開口１３０内に収容される。タブ１６４、１６６と、開口１３０との間の相互作用によって端子本体１０２上に接点バネ１１０が保持される。例えば、タブ１６４、１６６は、接点バネ１１０が壁１２４、１２６の第１の端部１３２から滑り落ちるのを防止する。
【００３５】
図４は、ブレード端子１０８がレセプタクル１２２に収容された状態のレセプタクル端子１００の断面図である。ブレード端子１０８は、平面状の両側面２２０，２２２を有する。ブレード端子１０８は両側面２２０と２２２との間で測定される厚み２２４を有する。厚み２２４は、ブレード端子１０８が第１の壁１２４と第２の壁１２６との間の収容空間１２８に収容されるように、距離１３８未満である。
【００３６】
接点バネ１１０は、第１のバネ壁１７０と第２のバネ壁１９０が収容空間１２８に装着されるように端子本体１０２に連結される。第１のバネ壁１７０は第１の壁１２４とブレード端子１０８の第１の側面２２０との間に位置決めされるように構成される。第１のバネ壁１７０は、ブレード端子１０８との複数の接触点Ａを含む。第１のバネ壁１７０は、ブレード端子１０８に対して付勢されたバネである。第１のバネ壁１７０は、第１の壁１２４との複数の接触点Ｂを含む。第１のバネ壁１７０は、第１の壁１２４に対して付勢されたバネである。例えば、第１のバネ壁１７０がブレード端子１０８と端子本体１０２との間で圧縮されるとき、バネ壁１７０はブレード端子１０８と端子本体１０２を押圧する。同様に、第２のバネ壁１９０は、ブレード端子１０８の第２の側面２２２との複数の接触点Ｃと、第２の壁１２６との複数の接触点Ｄとを含む。第２のバネ壁１９０は、ブレード端子１０８の第２の側面２２２に対して付勢されたバネであり、第２の壁１２６に対して付勢されたバネである。例えば、第２のバネ壁１９０がブレード端子１０８と端子本体１０２との間で圧縮されるとき、第２のバネ壁１９０はブレード端子１０８と端子本体１０２を押圧する。第１の側壁１５６は、第１の壁１２４の周囲を被覆し、第１の壁１２４の外側との１つ以上の接触点Ｅを含む。第２の側壁１５８は、第２の壁１２６の周囲を被覆し、第２の壁１２６の外側と１つ以上の接触点Ｆを含む。
【００３７】
ブレード端子１０８が収容空間１２８内に装着されると、第１と第２のバネ壁１７０と１９０はブレード端子１０８と端子本体１０２との間で圧縮される。組立中に、ブレード端子１０８が第１のバネ壁１７０と第２のバネ壁１９０との間の収容空間１２８内に装着されると、第１と第２のバネ壁１７０、１９０は、第１のバネ壁１７０が第１の壁１２４の方へ、第２のバネ壁１９０が第２の壁１２６の方へ押圧されることによって、少なくとも部分的に撓ませられたり、平らにされたりすることができる。第１のバネ壁１７０の波形構成によって、強制的に、凹面部１７４は第１の壁１２４に対して付勢され、凸面部１７６はブレード端子１０８に対して付勢される。同様に、第２のバネ壁１９０の波形構成によって、強制的に、凹面部１９４は第２の壁１２６に対して付勢され、凸面部１９６はブレード端子１０８に対して付勢される。
【００３８】
図５は、電力コネクタ２４０の正面を示す斜視図である。電力コネクタ２４０は、１つ以上のレセプタクル端子１００を保持するように構成されたハウジング２４２を含む。図示の実施形態では、ハウジング２４２は２つのレセプタクル端子１００を保持する。ハウジング２４２は、レセプタクル端子１００を収容するチャネル２４４を含む。レセプタクル端子１００は、ブレード端子１０８（図１に示す）がレセプタクル端子１００に装着されるように、チャネル２４４内で露出している。ハウジング２４２は、ケーブル２４８を受け取り且つケーブル２４８を対応するレセプタクル端子１００に導くケーブルチャネル２４６を含む。電力コネクタ２４０は、嵌合相手の電力コネクタ２６０（図６に示す）と嵌合するように構成された嵌合接点２５０を有する。
【００３９】
図６は、電力コネクタ２４０（図５に示す）と嵌合するように構成された嵌合相手の電力コネクタ２６０の正面斜視図である。嵌合相手の電力コネクタ２６０は、電力コネクタ２４０のレセプタクル端子１００と嵌合するように構成された２つのブレード端子１０８を保持するハウジング２６２を含む。例示的実施形態では、ハウジング２６２は、嵌合相手の電力コネクタ２６０を保持するデバイスの筐体などの他の構造体に取付けされるように構成された取付フランジ２６４を含む。嵌合相手の電力コネクタ２６０は、嵌合相手の電力コネクタ２６０と対として係合するように電力コネクタ２４０が差し込まれるように、固定される。嵌合させると、ブレード端子１０８はレセプタクル端子１００内に収容され、これらの間に電力接続を生じる。
【００４０】
例示的実施形態では、嵌合相手の電力コネクタ２６０及び電力コネクタ２４０は、電気自動車などの車両用電力システムの一部を形成してもよい。他の実施形態では、電力コネクタ２４０及び嵌合相手の電力コネクタ２６０は、産業用途など、他の用途に使用されることができる。
【００４１】
当然のことながら、上記の記述は、実例を示すことを意図しており、制限するものではない。例えば、上記の実施形態（及び／又はそれらの態様）は、互いに組み合わせて用いてもよい。加えて、特定の状況や材料を本発明の範囲から逸脱することなく本発明の教示に適応させるように、多くの変更を行ってもよい。本書に記載された寸法、材料の種類、様々なコンポーネントの方位、及び様々なコンポーネントの数及び位置は、特定の実施形態のパラメータを定義することを意図しており、決して制限的なものではなく、例示的な実施形態に過ぎない。本発明の精神及び特許請求の範囲内の多くのその他の実施形態及び変形は、上記の記述を検討することによって当業者には明らかになる。従って、本発明の範囲は、添付の請求項と共にそれら請求項に認められた等価物の全範囲を参照して決定されるべきである。添付の請求項では、“含む（ｉｎｃｌｕｄｉｎｇ）”及び“において（ｉｎ  ｗｈｉｃｈ）”という用語は、夫々、“含む（ｃｏｍｐｒｉｓｉｎｇ）”及び“において（ｗｈｅｒｅｉｎ）”という用語に相当する平易な英語として使用される。更に、以下の請求項において、“第１”、“第２”及び“第３”等の用語は、単に符号として使用されており、それらの物体に数に関する要求を課すことを意図していない。更に、以下の請求項の制限事項は、ミーンズ・プラス・ファンクション形式では書かれておらず、これらの請求項の制限事項が“ための手段（ｍｅａｎｓ  ｆｏｒ）”というフレーズが明示的に使用されそのフレーズに続けて更なる構造を有さない機能が記載されない限り、３５Ｕ．Ｓ．Ｃ．§１１２第６項に基づいて解釈されることを意図しない。
【図１】
0005888790.tif 000002
【図２】
0005888790.tif 000003
【図３】
0005888790.tif 000004
【図４】
0005888790.tif 000005
【図５】
0005888790.tif 000006
【図６】
0005888790.tif 000007